(57)【特許請求の範囲】
【請求項１】
所定長のシンボル単位を組み合わせて構成し、且つプリアンブルにトレーニング用パターン信号を有したパケットを直交周波数分割多重信号により送受信する無線通信装置であり、受信したパケットのプリアンブルの信号とトレーニング用パターン信号との相関をとり、パケットを検出するとともに、シンボルとの同期タイミング信号を生成する同期処理手段と、プリアンブルの受信信号をもとに無線波の伝播特性をパケット毎に推定する伝播特性推定手段とを有する無線通信装置であって、
前記同期処理手段で処理に用いるトレーニング用パターン信号として、プリアンブルに用いるパターン信号と共通する予め定められたパターン信号を保存するトレーニング用パターン保存手段と、
現行のプリアンブルの受信信号に対して同期が確立していないときに、以前にプリアンブルの受信信号に対して同期が確立したときに伝播特性推定手段によって得られた伝播特性推定結果により前記トレーニング用パターン保存手段に保存された予め定められたパターン信号に補正を施すパターン信号補正手段と、
１つの相手局を通信対象に決めて通信をする通信モード及び複数の相手局を同時に通信対象として通信をする通信モードで通信を行う機能を有するとともに、前記各通信モードに対応して相手局との伝送制御を行うメディアアクセス制御手段を有し、
前記メディアアクセス制御手段は、使用する通信モードとして１つの相手局を通信対象に決めて通信をする通信モードが選択されたときに、相手局が１つの場合であり、かつ直前に受信したパケットが自局宛のパケットであるか否かを判断し、
前記パターン信号補正手段は、前記メディアアクセス制御手段によって、使用する通信モードとして複数の相手局を同時に通信対象として通信をする通信モードが選択されたときに、予め定められた伝搬特性信号により、前記トレーニング用パターン保存手段に保存された予め定められたパターン信号に前記補正を施し、
１つの相手局を通信対象に決めて通信をする通信モードが選択されたときに、相手局が１つの場合であり、かつ直前に受信したパケットが自局宛のパケットであるときにのみ、該パケットから得られる伝播特性推定結果により前記トレーニング用パターン保存手段に保存された予め定められたパターン信号に前記補正を施し、
前記同期処理手段は、現行のプリアンブルの受信信号と前記パターン信号補正手段によって補正されたトレーニング用パターン信号との相関をとることを特徴とする無線通信装置。
【請求項２】
請求項１に記載された無線通信装置において、
前記パターン信号補正手段は、前記メディアアクセス制御手段によって、相手局が１つの場合であり、かつ直前に受信したパケットが自局宛のパケットである場合に該当しないと判断されたとき、予め定められた伝搬特性信号により前記トレーニング用パターン保存手段に保存された予め定められたパターン信号に前記補正を施すことを特徴とする無線通信装置。
【請求項３】
請求項１又は２に記載された無線通信装置において、
前記予め定められた伝搬特性信号は、ディラック関数による伝搬特性信号であることを特徴とする無線通信装置。
【請求項４】
請求項１乃至３のいずれかに記載された無線通信装置において、
直前にプリアンブルの受信信号に対して同期が確立してから所定時間の経過を計測する時間計測部を有し、
前記パターン信号補正手段は、前記時間計測部によって所定時間の経過が計測されない内は前記補正を行い、所定時間の経過後は前記補正を行わないことを特徴とする無線通信装置。
【請求項５】
請求項１乃至４のいずれかに記載された無線通信装置において、
前記パターン信号補正手段は、補正対象のパケットに対して同期が確立した後の伝播特性推定結果を直前から数パケット分さかのぼって平均化した平均伝播路推定結果を用いて前記トレーニング用パターン信号に補正を施すことを特徴とする無線通信装置。
【請求項６】
請求項５に記載された無線通信装置において、
前記パターン信号補正手段は、前記平均伝播路推定結果を算出するときに所定時間以前に得られた伝播路推定結果を除外して平均化を行うことを特徴とする無線通信装置。
【請求項７】
所定長のシンボル単位を組み合わせて構成し、且つプリアンブルにトレーニング用パターン信号を有したパケットを直交周波数分割多重信号により送受信する無線通信装置において、受信したパケットのプリアンブルの信号とトレーニング用パターン信号との相関をとり、パケットを検出するとともに、シンボルとの同期タイミング信号を生成する同期処理を行い、プリアンブルの受信信号をもとに無線波の伝播特性をパケット毎に伝播特性の推定を行う受信信号処理方法であって、
前記同期処理を行う同期処理工程で用いるトレーニング用パターン信号として、プリアンブルに用いるパターン信号と共通する予め定められたパターン信号をトレーニング用パターン保存手段に保存する保存工程と、
現行のプリアンブルの受信信号に対して同期が確立していないときに、以前にプリアンブルの受信信号に対して同期が確立したときに伝播特性推定によって得られた伝播特性推定結果により、前記トレーニング用パターン保存手段に保存されたプリアンブルに用いるパターン信号と共通する予め定められたパターン信号に補正を施すパターン信号補正工程と、
１つの相手局を通信対象に決めて通信をする通信モード及び複数の相手局を同時に通信対象として通信をする通信モードで通信を行う機能を有するとともに、前記各通信モードに対応して相手局との伝送制御を行うメディアアクセス制御工程を有し、
前記メディアアクセス制御工程では、使用する通信モードとして１つの相手局を通信対象に決めて通信をする通信モードが選択されたときに、相手局が１つの場合であり、かつ直前に受信したパケットが自局宛のパケットであるか否かを判断し、前記パターン信号補正手段は、前記メディアアクセス制御手段によって、使用する通信モードとして複数の相手局を同時に通信対象として通信をする通信モードが選択されたときに、予め定められた伝搬特性信号により、前記トレーニング用パターン保存手段に保存された予め定められたパターン信号に前記補正を施し、１つの相手局を通信対象に決めて通信をする通信モードが選択されたときに、相手局が１つの場合であり、かつ直前に受信したパケットが自局宛のパケットであるときにのみ、該パケットから得られる伝播特性推定結果により前記トレーニング用パターン保存手段に保存された予め定められたパターン信号に前記補正を施し、
前記同期処理工程において、現行のプリアンブルの受信信号と前記パターン信号補正手段によって補正されたトレーニング用パターン信号との相関をとることを特徴とする受信信号処理方法。
【発明の詳細な説明】
【技術分野】
【０００１】
本発明は、無線でデータ伝送を行う、例えば、無線ＬＡＮ等に用いられる通信装置に関し、より詳しくは、所定長のシンボル単位を組み合わせて構成したパケットを直交周波数分割多重（ＯＦＤＭ：Orthogonal Frequency-Division Multiplexing）信号により送受信する際、受信側で行うパケット検出及びシンボルとの同期処理における性能を向上させるための手段を備えた無線通信装置及び受信信号処理方法に関する。
【背景技術】
【０００２】
近年、オフィスや家庭などで用いられる各種の情報機器には、無線通信技術を利用して機器間で情報交換を可能にすることにより、モバイル機能の付加を実現している。この種の無線通信技術においては、例えばIEEE802.11系（IEEE802.11a、802.11b、802.11g等）の規格に基づいた無線ＬＡＮ（Local Area Network）通信や、ワイヤレスＵＳＢ（Universal Serial Bus）規格に基づいた無線ＰＡＮ（Personal Area Network）通信などが実用化され様々な製品が市場に出されている。
無線通信は限られた電波資源（周波数帯域）を利用するため、電波法や通信規格に準じた通信方式で通信を運用する必要がある。無線規格としては、最近ではIEEE802.11系の規格の通信端末が広く利用されるようになってきている。
【０００３】
また、IEEE802.11系の規格をはじめとして、近年の無線通信方式にはＯＦＤＭ方式というマルチキャリア伝送技術が利用され、無線通信において高速のデータ伝送を実現できるようになってきている。
また、近年の無線データ通信の多くはパケット伝送方式によっており、伝送するパケットの先頭にあるプリアンブルにトレーニング信号を付加して伝送する。ＯＦＤＭ方式による無線通信では、電波伝播環境によるマルチパスフェージングや、周波数オフセット、位相ノイズ、直交誤差、送信電力量、非線形歪みなどさまざまな要因が受信性能に影響を及ぼす。
受信機はこれらの点を考慮して設計する必要があり、静的、又は場合によっては動的に補正やイコライズ(等化)する技術が利用されて、通信環境に対応して無線通信が成立するように構成されている。
【０００４】
例えば、ＯＦＤＭ方式による無線通信では、電波の伝播路によって異なる伝播特性を補正するために、受信機は、送信データパケットの先頭にあるプリアンブルに付加されたトレーニング用のシンボル（パターン信号）を用いてパケットごとにそのトレーニング用パターン信号から周波数オフセット補正や伝播特性推定部（イコライザ）での伝播路の特性の補正を行い、受信性能を高めている。
ＯＦＤＭ方式による無線ＬＡＮを例にすると、一般的にパケット毎にパケット検出及びシンボル同期を行う同期処理部と、同期処理されたパケット中のシンボル期間毎にフーリエ変換処理を行うフーリエ変換処理部と、同期処理されたＯＦＤＭ信号のトレーニング信号を用いてパケット毎に伝播路によって異なる伝播特性を推定する伝播特性推定部と、伝播特性推定部による伝播特性の推定結果を用いてフーリエ変換処理後の周波数領域の信号に対して等化処理を行う等化器とを備えたものが知られている。なお、等化器は、周波数領域の信号に対して振幅と位相を修正する。これにより周波数選択性フェージング等の影響による周波数特性を補正する。なお、等化処理後の信号は、後段の変調器で復調され、デマッピング、デインターリービングやエラー訂正を行うことによって送信元データに復元される。
【０００５】
無線通信の場合に受信性能を決めるのは通信距離とマルチパスフェージング環境といわれている。通信距離は受信電力に相当するので、遠くなれば必然的に受信が困難となる。一方、マルチパスフェージングの影響を受けると受信電力だけではなく、その振幅と位相とが激しく変動する。
特に、ＯＦＤＭ方式などマルチキャリア伝送の場合は、選択性フェージングによりサブキャリア毎に影響が異なるといった状況になる。このため、従来技術による等化器は、伝播特性推定部によって推定した伝播特性を用いて等化処理を行い、フェージングによるＯＦＤＭ信号の振幅や位相の変動を修正している。
【０００６】
しかし、伝播特性推定部は、同期処理部によって同期が確立された後に、ＯＦＤＭ信号の既知のプリアンブル信号（IEEE802.11a規格の場合でいうところのロングトレーニングシンボル）を用いて伝播路に依存する伝播特性の推定を行うため、同期が確立される以前では伝播路補正ができない、つまり、同期処理の前段で等化処理を行うことができない。
同期処理部は、各パケットのプリアンブルに設けられた既知のパターン信号を用いて相互相関計算によって各パケットの検出、及び同期処理を行っているが、フェージングによる伝播特性の影響によって既知のパターン信号との相関パワー値が小さくなり、例えば、パケット検出を行うために定められた閾値よりも小さくなったときには、パケットが検出できないという問題になる。これによりパケットをロスしてしまう。こうした場合には、例えば、無線ＬＡＮの場合、パケットの再送によってリカバリされることもあるが、パケットのロスが多くなると、再送も頻発し、結果として実効伝送性能が低下する。
【０００７】
上記の問題を解決するために提案された従来技術として、特許文献１に記載されたＯＦＤＭ復調装置を示すことができる。この従来技術では、以前に伝播路推定部でもとめた伝達関数を平均化した平均伝達関数を用いて、Ａ／Ｄ変換器から入力されたＯＦＤＭ信号を同期処理部に入力する前に予備等化装置によって予備的に等化処理を施している。即ち、同期処理部の後段側に備えた等化器とは別に予備等化装置を設け、この予備等化装置を設けることで同期処理部の前段でＯＦＤＭ信号の信号レベルを高め、同期処理部による信号検出の成功確率を高めるようにすることによって、この問題の解決が図れる、としている。
なお、この従来技術で用いられている予備等化装置は、通常ＯＦＤＭ方式の伝播特性推定部で求められる周波数領域の伝播路特性を逆ＦＦＴ（Fast Fourier Transform：高速フーリエ変換）等により時間領域の伝播路伝達関数にしたもの用いて、その伝達関数を係数としたトランスバーサルフィルタ処理をＡ／Ｄ変換された受信ＯＦＤＭ信号に施すことで、予備的な等化処理を実現している。
【発明の概要】
【発明が解決しようとする課題】
【０００８】
しかしながら、従来技術として示した特許文献１に記載されたＯＦＤＭ復調装置では、同期処理部の後段側に備えた等化器とは別に予備等化装置を設け、これによって、受信したＯＦＤＭ信号に対し予備的に等化処理をする。即ち、ＯＦＤＭ信号のベースバンド信号をＡ／Ｄ変換し、得られたサンプル信号にフィルタ処理をしなければならない。この処理には、フィルタＴＡＰ数の乗算器と加算器の回路が必要であり、予備等化装置を設けることによって回路規模が増大する。しかも、受信したＯＦＤＭ信号に対して予備的に等化処理を行うために、常時、予備等化装置を動作させなければならず、消費電力増の結果となってしまう。
本発明は、無線でデータ伝送を行うＯＦＤＭ通信装置における従来技術の上記問題に鑑みてなされたもので、その目的は、回路規模の増大を招くことなく、且つ消費電力の低減化を図ることで、ＯＦＤＭ信号の受信側で行うパケット検出及びシンボルとの同期処理における性能を向上させることにある。
【課題を解決するための手段】
【０００９】
本発明は、所定長のシンボル単位を組み合わせて構成し、且つプリアンブルにトレーニング用パターン信号を有したパケットを直交周波数分割多重信号により送受信する無線通信装置であり、受信したパケットのプリアンブルの信号とトレーニング用パターン信号との相関をとり、パケットを検出するとともに、シンボルとの同期タイミング信号を生成する同期処理手段と、プリアンブルの受信信号をもとに無線波の伝播特性をパケット毎に推定する伝播特性推定手段とを有する無線通信装置であって、前記同期処理手段で処理に用いるトレーニング用パターン信号として、プリアンブルに用いるパターン信号と共通する予め定められたパターン信号を保存するトレーニング用パターン保存手段と、現行のプリアンブルの受信信号に対して同期が確立していないときに、以前にプリアンブルの受信信号に対して同期が確立したときに伝播特性推定手段によって得られた伝播特性推定結果により前記トレーニング用パターン保存手段に保存された予め定められたパターン信号に補正を施すパターン信号補正手段と、１つの相手局を通信対象に決めて通信をする通信モード及び複数の相手局を同時に通信対象として通信をする通信モードで通信を行う機能を有するとともに、前記各通信モードに対応して相手局との伝送制御を行うメディアアクセス制御手段を有し、前記メディアアクセス制御手段は、使用する通信モードとして１つの相手局を通信対象に決めて通信をする通信モードが選択されたときに、相手局が１つの場合であり、かつ直前に受信したパケットが自局宛のパケットであるか否かを判断し、前記パターン信号補正手段は、前記メディアアクセス制御手段によって、使用する通信モードとして複数の相手局を同時に通信対象として通信をする通信モードが選択されたときに、予め定められた伝搬特性信号により、前記トレーニング用パターン保存手段に保存された予め定められたパターン信号に前記補正を施し、１つの相手局を通信対象に決めて通信をする通信モードが選択されたときに、相手局が１つの場合であり、かつ直前に受信したパケットが自局宛のパケットであるときにのみ、該パケットから得られる伝播特性推定結果により前記トレーニング用パターン保存手段に保存された予め定められたパターン信号に前記補正を施し、前記同期処理手段は、現行のプリアンブルの受信信号と前記パターン信号補正手段によって補正されたトレーニング用パターン信号との相関をとることを特徴とする。
本発明は、所定長のシンボル単位を組み合わせて構成し、且つプリアンブルにトレーニング用パターン信号を有したパケットを直交周波数分割多重信号により送受信する無線通信装置において、受信したパケットのプリアンブルの信号とトレーニング用パターン信号との相関をとり、パケットを検出するとともに、シンボルとの同期タイミング信号を生成する同期処理を行い、プリアンブルの受信信号をもとに無線波の伝播特性をパケット毎に伝播特性の推定を行う受信信号処理方法であって、前記同期処理を行う同期処理工程で用いるトレーニング用パターン信号として、プリアンブルに用いるパターン信号と共通する予め定められたパターン信号をトレーニング用パターン保存手段に保存する保存工程と、
現行のプリアンブルの受信信号に対して同期が確立していないときに、以前にプリアンブルの受信信号に対して同期が確立したときに伝播特性推定によって得られた伝播特性推定結果により、前記トレーニング用パターン保存手段に保存された予め定められたパターン信号に補正を施すパターン信号補正工程と、１つの相手局を通信対象に決めて通信をする通信モード及び複数の相手局を同時に通信対象として通信をする通信モードで通信を行う機能を有するとともに、前記各通信モードに対応して相手局との伝送制御を行うメディアアクセス制御工程を有し、前記メディアアクセス制御工程では、使用する通信モードとして１つの相手局を通信対象に決めて通信をする通信モードが選択されたときに、相手局が１つの場合であり、かつ直前に受信したパケットが自局宛のパケットであるか否かを判断し、前記パターン信号補正手段は、前記メディアアクセス制御手段によって、使用する通信モードとして複数の相手局を同時に通信対象として通信をする通信モードが選択されたときに、予め定められた伝搬特性信号により、前記トレーニング用パターン保存手段に保存された予め定められたパターン信号に前記補正を施し、１つの相手局を通信対象に決めて通信をする通信モードが選択されたときに、相手局が１つの場合であり、かつ直前に受信したパケットが自局宛のパケットであるときにのみ、該パケットから得られる伝播特性推定結果により前記トレーニング用パターン保存手段に保存された予め定められたパターン信号に前記補正を施し、前記同期処理工程において、現行のプリアンブルの受信信号と前記パターン信号補正手段によって補正されたトレーニング用パターン信号との相関をとることを特徴とする。
【発明の効果】
【００１０】
本発明によって、従来技術に比べて、圧倒的に消費電力が少なくて済み、回路規模も増大することなく、ＯＦＤＭ信号の受信側で行うパケット検出及びシンボルとの同期処理における性能を向上させることができる。
【図面の簡単な説明】
【００１１】
【図１】本発明の適用対象となる無線通信装置の受信処理部の構成を示す図である。
【図２】本発明の実施形態に係る無線通信装置の受信処理部の基本構成を示す図である。
【図３】図２に示した受信処理部のパターン信号補正部の内部構成を示す図である。
【図４】図３に示したパターン信号補正部の各部の入出力信号の波形を示す図である。
【図５】本発明の実施形態に係る無線通信装置の受信処理部（図２）において、通信モードに対応した手段を付加した構成を示す図である。
【図６】図５に示した受信処理部のパターン信号補正部の内部構成を示す図である。
【図７】図６に示した受信処理部におけるパターン信号補正に係る処理のフローを示す図である。
【図８】図６に示したパターン信号補正部において、パターン信号の補正有効期限を管理する手段を付加した構成を示す図である。
【図９】図８に示した受信処理部におけるパターン信号補正に係る処理のフローを示す図である。
【図１０】図８に示したパターン信号補正部において、パターン信号の補正に用いる伝播特性の平均化処理手段を付加した構成を示す図である。
【図１１】図１０に示した受信処理部におけるパターン信号補正に係る処理のフローを示す図である。
【発明を実施するための形態】
【００１２】
本発明に係る無線通信装置の実施形態について、添付図面を参照して説明する。
［前提とする受信処理部の構成］
先ず、本発明が前提とする無線通信装置の構成について、図１に示す例に基づいて説明する。図１は、発明の課題（上記［発明が解決しようとする課題］、参照）を解決する本発明に特有の手段を付加する以前の無線通信装置の受信処理部の構成を示すもので、既存の構成と変わらない。また、図１は、受信処理部を中心に説明をするので、例えば、送信側の機器構成や受信側のＲＦ（Radio Frequency）アナログブロックなどの無線通信装置を構成する他の公知技術を採用し得る要素については、図示を省略する。
なお、以下に示す本発明の実施形態では、無線ＬＡＮ関連の規格であるIEEE802.11aに準拠する例によって説明する。     
【００１３】
図１の無線通信装置の受信処理部において、データを搬送する電波を受信して、図示しないＲＦ（Radio Frequency）部でベースバンド信号に変換された受信信号は、ＡＤＣ（アナログ・デジタル変換器）１１でディジタル信号に変換される。ディジタル化された受信信号は、ＡＧＣ（Automatic Gain Control）部１２、同期処理部１７及び伝播特性推定部１８にそれぞれ入力される。
同期処理部１７は、パケット信号が入力されると、パケットの先頭に配置されているショートプリアンブル（ロングプリアンブルについては後述）の信号に対してトレーニング用パターン信号１９との相互相関処理を、マッチドフィルタ等の処理により行って相関パワー値を算出し、算出値が所定の閾値を超えたか否かを判断することで、パケットの検出を行い、また、その検出結果をもとにＡＧＣ部１２の処理に必要な制御量を得る。
なお、トレーニング用パターン信号１９は、予めトレーニング用に定められた時間領域のパターン信号として用意される。また、受信信号のショートプリアンブルには、共通のトレーニング用パターン信号をもとに送信元で２シンボル分のフィールドに１０回のトレーニング用の該パターン信号が挿入される。
【００１４】
ＡＧＣ部１２は、受信信号を所望のパワーレベルに調整する。なお、ＡＧＣ部１２の処理は、全てディジタル処理でパワー制御しても良いし、ＲＦアナログ部のＶＧＡ（可変利得アンプ）等にフィードバックしてアナログでゲインコントロールをしても良い。
また、同期処理部１７は、ＡＧＣ部１２の処理と並行に動作し、パターン信号の相互相関処理によるパケットの検出と同時にシンボル同期タイミング信号を生成し、この後、生成されるシンボル同期タイミング信号は、この信号と同期をとって、ＦＦＴ部１３以降の後段の処理を実行するために用いられる。
ＦＦＴ部１３は、所望のパワーレベルに調整された受信信号に対し、シンボル期間毎にフーリエ変換処理を行い、時間領域の信号を周波数領域の信号に変換する。なお、ＦＦＴ部１３の処理は、公知技術であり、この実施形態の課題と直接関係しないので、詳細な説明は省略する。
【００１５】
さらに、ショートプリアンブルの次に配置されたロングプリアンブルの信号に対してロングトレーニング用パターン信号（不図示）をもとに、伝播特性推定部１８において各サブキャリアの周波数オフセットや伝播特性を推定する。
得られる各サブキャリアの周波数オフセットや伝播特性の推定結果は、シンボル単位でＦＦＴ処理後の信号に対して等化器１４にて各サブキャリアに対する補正に用いられ、所定の信号レベルへの等化処理が行われる。
次いで、後段復調器１５でデマッピング、デインターリービングやエラー訂正処理などの復調処理が行われ、復調されたデータはＭＡＣ（Media Access Control）１６へ出力される。
ＭＡＣ１６は、無線ＬＡＮの規格（ここでは、IEEE802.11a）に基づいて、ＣＳＭＡ／ＣＡ（Carrier Sense Multiple Access with Collision Avoidance）によるアクセス制御などに従い伝送制御を行う。
【００１６】
［パターン信号補正に係る基本構成］
上記で図１を参照して説明した受信処理部は、本発明が前提とする技術であって、同期処理の前に等化処理を行っていないので、上記［背景技術］で述べた従来技術に相当し、このままでは実効伝送性能が低いものとなってしまう。
また、この実効伝送性能の低下という問題に対処すべく提案された特許文献１は、先に［発明が解決しようとする課題］で述べたように、予備等化装置を設けることによって回路規模の増大及び消費電力増をもたらす。
【００１７】
そこで、この実施形態では、回路規模の増大を招くことなく、且つ消費電力の低減化を可能とする手段として、現行のプリアンブルの受信信号に対して同期が確立していないときに、同期処理に用いるために予め定められたパターン信号に対し、以前にプリアンブルの受信信号に対して同期が確立したときに推定結果として得られた伝播特性により補正を施す、という方法を用いる。
つまり、等化処理を行う前の同期処理の段階で、以前に求めている等化処理に使用した伝播特性を利用して、同期処理に用いるパターン信号に補正を掛けることで、伝播特性の変動を吸収して受信信号を等化処理したと同等の効果を得ることにより、同期処理の性能を高め、結果として実効伝送性能の向上を図る。
【００１８】
図２は、本発明の実施形態に係る無線通信装置の受信処理部の基本構成を示す図である。
図２の無線通信装置の受信処理部は、図１の受信処理部とは、パターン信号補正部２０を付加構成として有する点で異なる。即ち、図１の受信処理部では、トレーニング用に用意されたパターン信号１９をそのまま固定値として用いるが、この実施形態では、パターン信号補正部２０を設け、用意されたトレーニング用パターン信号に伝播路の伝播特性の変動に応じた補正を施し、補正後のパターン信号による同期処理部１７のマッチドフィルタ処理で相関パワー値を算出する。なお、図２の受信処理部において、付加したパターン信号補正部２０以外の処理部は、図１の受信処理部と基本的に変わらず、同一の要素には同一の符号を付けているので、これらの処理部については、先の説明を参照することとして、ここでは記載を省略する。
【００１９】
図３は、図２に示した受信処理部のパターン信号補正部２０の内部構成を示す図である。同図に示すように、パターン信号補正部２０は、トレーニング用に予め定められた周波数領域でのパターン信号２０５が用意され、このパターン信号をプリアンブルの受信信号から求めた周波数領域の伝播特性信号によって補正する補正処理部２０１と、補正処理部２０１で補正された周波数領域でのトレーニング用パターン信号を時間領域でのトレーニング用パターン信号に変換する変換部２０２を構成要素とする。
図４は、パターン信号補正部２０の各部の入出力信号の波形を示す図である。
図４を参照して、トレーニング用パターン信号の補正処理をより詳しく説明すると、パターン信号補正部２０は、等化器１４で等化処理に用いた周波数領域での伝播特性信号（図４（ｂ）、参照）を入力し、補正処理部２０１で、初期設定された周波数領域でのトレーニング用パターン信号２０５（図４（ａ）、参照）を伝播特性信号によって補正する。
【００２０】
周波数領域での伝播特性信号は、電波が正常に伝播する場合には、本来、周波数軸の各サブキャリアのパワーが一定で包絡線がフラットな図４（a）に示す特性になるが、実際は、図４（ｂ）に破線Ｌで示すように、サブキャリアの一部のパワーが低下しフラットにならない。こうした状況となるにもかかわらず、電波が正常に伝播することを想定してフラットな特性のトレーニング用パターン信号を用いて同期処理を行うと、性能が低下することになってしまう。
このため、等化器１４で等化処理に用いた周波数領域での伝播特性信号を実際の伝播路の状況を示す伝播特性信号とみなし、この信号を利用して初期設定される周波数領域でのトレーニング用パターン信号２０５を補正する。
パターン信号補正部２０に入力される伝播特性信号は、パケットごとに求められ、等化器１４で等化処理に用いた周波数領域での伝播特性信号であり、基本的には、直前のパケットの受信処理で求め、保存されている伝播特性を等化器１４から取得する。
【００２１】
また、補正されるトレーニング用パターン信号２０５は、図４（ａ）に示す包絡線がフラットな特性の信号であり、ショートプリアンブルに挿入される予めトレーニング用に定められたパターン信号と共通のパターン信号を持つ。ただ、元は同じパターン信号でも、パターン信号補正部２０で補正処理に用いるパターン信号は、周波数領域でのトレーニング用パターン信号２０５であり、受信信号のショートプリアンブルに挿入されている時間領域のパターン信号とは、領域が異なる。
そこで、パターン信号補正部２０で補正処理に用いるパターン信号は、時間領域のパターン信号をＦＦＴ変換等により周波数領域に変換しておいたものをメモリ等に保存しておき、このデータを周波数領域でのトレーニング用パターン信号２０５として用いる。
【００２２】
周波数領域でのトレーニング用パターン信号２０５の補正処理は、補正されるトレーニング用パターン信号２０５をＰ（Ｆ）とし、等化器１４で等化処理に用いた伝播特性信号をＨ（Ｆ）とすると、周波数領域の補正パターン信号ＲＰ（Ｈ）は、下記式（１）に基づいて算出される。
ＲＰ（Ｈ）＝Ｐ（Ｆ）×Ｈ（Ｆ）・・・式（１）
補正処理部２０１は、上記式（１）に基づいて、周波数領域の補正パターン信号ＲＰ（Ｈ）を算出する。図４の波形例によると、図４（ａ）の補正されるトレーニング用パターン信号２０５が図４（ｂ）の伝播特性信号により補正されると、図４（ｃ）の周波数領域の補正パターン信号ＲＰ（Ｈ）が求まる。
また、補正された図４（ｃ）の周波数領域でのトレーニング用パターン信号を時間領域への変換部２０２によって変換し、図４（ｄ）の同期処理部１７で用いる時間領域でのトレーニング用パターン信号として出力する。なお、同図中の図４（ｄ０）の時間領域でのトレーニング用パターン信号は、補正をしない場合のパターン信号（周波数領域でのトレーニング用パターン信号２０５に相当）であり、後述する実施形態で説明するが、通信モードによっては、この出力が用いられる。
【００２３】
図２〜４を参照して説明した本実施形態の受信処理部によれば、初期設定される周波数領域でのトレーニング用パターン信号２０５を以前に行ったパケット受信で求めた伝播特性によって補正するので、パケット受信後にだけパターン信号補正部を起動し、待受けるパケットに対する同期処理に用いるトレーニング用パターン信号を生成すればよく、先に示した特許文献１における受信したＯＦＤＭ信号に対し、常時、予備等化装置を動作させる方法に比べて圧倒的に消費電力が小さくて済む。
また、本実施形態のパターン信号補正部２０は、既に受信処理部に有するＦＦＴ回路や等化器等を共用することができるので、特許文献１の予備等化装置のように、新たに回路を付加することが無く、回路規模の増大を抑え、かつパケット検出及びシンボルとの同期処理における性能を向上させることができる。
【００２４】
［通信モードへの対応］
上記で図２〜４を参照して説明した受信処理部は、パターン信号補正に係る基本構成を有するもので、通信モードによっては、不都合が生じる場合がある。
ここでは、通信モードが無線ＬＡＮのインフラストラクチャモードでの通信を例に、通信モードによって生じ得る不都合を回避するための手段を有する実施形態を説明する。
無線ＬＡＮのインフラストラクチャモードでは、自局の接続相手はアクセスポイント（ＡＰ）になるが、ＡＰと接続している他のステーション（ＳＴ）からの電波も受信することができる。他局のＳＴがＡＰに対してデータを伝送した場合、その信号を自局も受信し、復調してＭＡＣ（Media Access Control）にデータを受け渡す必要がある。
これは、ＴＤＭＡ（Time Division Multiple Access）等の時分割で送受信タイミングを作る方式ではなく、ＣＳＭＡ／ＣＡ（Carrier Sense Multiple Access with Collision Avoidance）方式の無線ＬＡＮでは、何時、自分宛にパケットが伝送されるか分からないので、受信機を常に待機させておく必要があるからである。なお、パワーセーブモードにおいても、一定の期間は常に受信器を待機させておく必要がある。
【００２５】
無線ＬＡＮ規格では変復調部の物理層では、自局宛のパケットかどうかを判断せずに、物理層から出力されるデータを処理の対象とする。このため、自局宛ではないパケットも受信して、後段のＭＡＣ側で自局宛か否かを判断する必要がある。
自局宛ではないパケットを受信した場合、受信処理で伝播路の伝播特性を推定するが、そこで得られた伝播路の伝播特性は、ＡＰと自局の伝播路の伝播特性ではない。そのため、この伝播路の伝播特性を使って、上述の実施形態（図２〜４）におけるようにパターン信号補正部２０でパターン信号を補正すると、期待する接続相手から受信すべきパケットをロスする可能性が増大する、という不都合が生じる。
そこで、受信したパケットが自局宛かどうかをＭＡＣで判断した後、その判断結果をもとに、伝播特性推定部で求め、等化器で用いる伝播路の伝播特性を、パターン信号補正部でパターン信号の補正に使用するかを判断し、自局宛の場合のみ補正を行うことにより、間違った伝播路の伝播特性で補正をしないようにする。
【００２６】
図５は、この実施形態に係る無線通信装置の受信処理部の構成を示す図である。
図５の無線通信装置の受信処理部は、図２の受信処理部とは、パターン信号補正部における補正動作をＭＡＣからの自局パケット判定信号（受信したパケットが自局宛の信号であることを示す信号）により制御する構成を付加した点で異なる。即ち、この実施形態では、図２の受信処理部にはない、ＭＡＣ１６から制御信号として自局パケット判定信号がパターン信号補正部２１に入力され、また、パターン信号補正部２１の内部には、ＭＡＣ１６からの自局パケット判定信号により補正動作を制御するための構成を備える（詳細は、図６,７にて後述）。なお、図５の受信処理部において、付加したパターン信号補正部２１の上記構成以外の処理部は、図１及び２の受信処理部と基本的に変わらず、同一の要素には同一の符号を付けているので、これらの処理部については、先の説明を参照することとして、ここでは記載を省略する。
【００２７】
図６は、図５に示した受信処理部のパターン信号補正部２１の内部構成を示す図である。同図に示すように、パターン信号補正部２１は、トレーニング用に予め定められた周波数領域でのパターン信号２１５が用意され、このパターン信号をプリアンブルの受信信号から推定される周波数領域の伝播特性信号又はディラック（Δ）関数による伝播特性信号２１６によって補正する補正処理部２１１と、補正処理部２１１で補正された周波数領域でのトレーニング用パターン信号を時間領域でのトレーニング用パターン信号に変換する変換部２１２を備える。また、補正処理部２１１が補正処理に用いるプリアンブルの受信信号から推定される周波数領域の伝播特性信号又はディラック（Δ）関数による伝播特性信号２１６のどちらを用いるかは、ＭＡＣ１６からの自局パケット判定信号により選択するので、自局パケット判定信号を制御信号とし、これらの伝播特性信号の一方を選択して出力するセレクタ２１３を設ける。
【００２８】
〈伝播特性信号の選択処理のフロー（１）〉
図６のパターン信号補正部２１の補正処理部２１１でトレーニング用パターン信号の補正に用いる伝播特性信号として、プリアンブルの受信信号から推定される周波数領域の伝播特性信号又はディラック（Δ）関数による伝播特性信号２１６のいずれかを選択して出力する処理の手順について、図７の処理フローにもとづいて説明する。
図７に示す処理フローは、受信処理部とともに起動し、パケットごとに処理を実行する。
この処理フローが、受信処理部とともに起動されると、先ず、パケットを受信するために待機し（ステップＳ１０１）、パケットが受信されると、上記で図１を参照して説明したように、ショートプリアンブルの信号をもとにＡＧＣ及び同期処理を行う。さらに、ロングプリアンブルの信号をもとに伝播特性を推定する処理を行い、得られる等化条件の下に等化処理を行い、等化処理後の信号に対する復調処理を行うことで、受信データを復元する（ステップＳ１０２）。
【００２９】
また、この受信データの復調処理の前段における等化処理に用いた伝播特性、即ちロングプリアンブルの受信信号から推定された周波数領域の伝播特性を現行の受信パケットの伝播路の伝播特性として確定する（ステップＳ１０３）。
次いで、復調された受信データを受け取るＭＡＣ１６は、現行の受信データから自局宛のパケットであるか否かを、ＭＡＣ１６内に有する自局宛パケット判定部１６１で判定し、判定結果により処理を分岐する（ステップＳ１０４）。このとき、ＭＡＣ１６内のモード設定部１６３は、自局宛のパケットであれば、自局受信フラグ信号を生成し、これをパターン信号補正部２１に出力することで、自局パケット判定信号をパターン信号補正部２１で行う伝播特性の選択に用いる制御信号とする。
【００３０】
ステップＳ１０４で、自局宛のパケットであることが自局パケット判定信号により確認できれば（ステップＳ１０４-YES）、パターン信号補正部２１は、ステップＳ１０３で確定した現行の受信パケットから求めた伝播特性をトレーニング用パターン信号の補正に用いる伝播特性として選択する（ステップＳ１０５）。
他方、自局宛のパケットであることが確認できなければ（ステップＳ１０４-NO）、パターン信号補正部２１は、初期化伝播特性であるディラック（Δ）関数（周波数領域でフラットな特性を持つ伝播特性を定義する関数）による伝播特性信号２１６をトレーニング用パターン信号の補正に用いる伝播特性信号として選択する（ステップＳ１０７）。
なお、上記の伝播特性信号の選択動作は、この実施形態では、ＭＡＣ１６が出力する自局受信フラグ信号を制御信号として動作するセレクタ２１３が、プリアンブルの受信信号から推定される周波数領域の伝播特性信号又はディラック（Δ）関数による伝播特性信号２１６を選択する。
次いで、ステップＳ１０５又はステップＳ１０７で選択された伝播特性信号は、補正用の周波数領域でのトレーニング用パターン信号として補正処理部２１１に出力し（ステップＳ１０６）、このパケットに対する処理フローを終え、次のパケットを受信するために待機するステップＳ１０１に戻る。
【００３１】
上記の処理によって、パターン信号補正部２１では、自局宛の場合のみプリアンブルの受信信号から推定される周波数領域の伝播特性信号を用いてパターン信号を補正する。このようにすることで、例えば、無線ＬＡＮのインフラストラクチャモードの動作において、自局宛の伝播路の特性のみ反映できるので、パケット検出精度など同期処理の精度を維持することができる。
なお、無線ＬＡＮ規格では上述のインフラストラクチャモード以外にアドホックモードが存在する。このアドホックモードで行う場合は、通信対象となる接続相手端末が複数存在することになるので、パケット検出待ち状態に伝播路を特定して伝播路補正を施した補正パターン信号で相関検出を行うことはできない。そのため、アドホックモードで動作する場合は、初期化伝播特性であるディラック（Δ）関数による伝播特性信号に戻して同期処理を行う。
【００３２】
［経時変動への対応］
上記で図２〜７を参照して説明した受信処理部は、伝播路に経時的に生じる伝播特性の変動を考慮していない。このため、直前のパケットの受信処理で求められた伝播特性によってパターン信号の補正を行っても、補正したパターン信号をこの次に受信するパケットに適用する間に相当の時間が経過することがあって、経過時間によっては、伝播特性の変動が生じて、補正の効果が失われる不都合が生じる場合がある。
そこで、この実施形態では、直前に自局宛のパケットの受信信号で同期を確立し、等化器で用いる伝播路の伝播特性を求めたときからの経過時間を計測し、この経過時間によって、補正したパターン信号の有効期限を管理する。
【００３３】
この実施形態では、上記で図５〜７を参照して説明した無線ＬＡＮのインフラストラクチャモードに対応する動作を行う受信処理部を例に、さらに、経時変動によって生じ得る不都合を回避するための手段を有する実施形態を説明する。具体的には、ＭＡＣからの自局パケット判定信号を受けて、所定の経過時間の計測を開始するタイマをパターン信号補正部に備え、タイマによる計時が所定の経過時間内であるときに再度自局宛のパケット信号を受信した場合は、パケットの受信処理で推定される周波数領域の伝播特性信号によってパターン信号の補正を行い、同期処理に用いる該信号を更新し、他方、タイマによる計時が所定の経過時間を過ぎた場合は、初期化伝播特性であるディラック（Δ）関数による伝播特性信号に戻して同期処理を行う。
【００３４】
図８は、この実施形態に係る受信処理部のパターン信号補正部２１の内部構成を示す図である。なお、この実施形態に係る無線通信装置の受信処理部全体の構成は、先に示した図５と変わらないので、上記の説明を参照し、ここでは記載を省略する。
図８に示すように、パターン信号補正部２１は、トレーニング用に予め定められた周波数領域でのパターン信号２１５が用意され、このパターン信号をプリアンブルの受信信号から推定される周波数領域の伝播特性信号又はディラック（Δ）関数による伝播特性信号２１６によって補正する補正処理部２１１と、補正処理部２１１で補正された周波数領域でのトレーニング用パターン信号を時間領域でのトレーニング用パターン信号に変換する変換部２１２を備える。また、補正処理部２１１が補正処理に用いるプリアンブルの受信信号から推定される周波数領域の伝播特性信号又はディラック（Δ）関数による伝播特性信号２１６のどちらを用いるかは、ＭＡＣ１６からの自局パケット判定信号により選択するので、自局パケット判定信号を制御信号とし、これらの伝播特性信号の一方を選択して出力するセレクタ２１３を設ける。
パターン信号補正部２１が上記の構成要素を有する点では、先に示した図５に示したパターン信号補正部２１と変わらない。ただ、この実施形態では、補正したパターン信号の有効期限を管理するためのタイマ２１８を備える点で構成が異なる。ＭＡＣ１６からの自局パケット判定信号を直接セレクタ２１３に入力しないで、タイマ２１８を通し、タイマ２１８にセットされる所定時間の経過を計測し、出力されるタイマ信号を制御信号としてセレクタ２１３に入力する。
【００３５】
〈伝播特性信号の選択処理のフロー（２）〉
図８のパターン信号補正部２１の周波数領域での補正処理部２１１でトレーニング用パターン信号の補正に用いる伝播特性信号として、プリアンブルの受信信号から推定される周波数領域の伝播特性信号又はディラック（Δ）関数による伝播特性信号２１６のいずれかを選択して出力する処理の手順について、図９の処理フローにもとづいて説明する。
図９に示す処理フローは、受信処理部とともに起動し、パケットごとに処理を実行する。
この処理フローが、受信処理部とともに起動されると、先ず、パケットを受信するために待機し（ステップＳ２０１）、パケットが受信されると、上記で図１を参照して説明したように、ショートプリアンブルの信号をもとにＡＧＣ及び同期処理を行う。さらに、ロングプリアンブルの信号をもとに伝播特性を推定する処理を行い、得られる等化条件の下に等化処理を行い、等化処理後の信号に対する復調処理を行うことで、受信データを復元する（ステップＳ２０２）。
【００３６】
また、この受信データの復調処理の前段における等化処理に用いた伝播特性、即ちロングプリアンブルの受信信号から推定された周波数領域の伝播特性を現行の受信パケットの伝播路の伝播特性として確定する（ステップＳ２０３）。
次いで、復調された受信データを受け取るＭＡＣ１６は、現行の受信データから自局宛のパケットであるか否かを、ＭＡＣ１６内に有する自局宛パケット判定部１６１で判定し、判定結果により処理を分岐する（ステップＳ２０４）。このとき、ＭＡＣ１６内のモード設定部１６３は、自局宛のパケットであれば、自局受信フラグ信号を生成し、これをパターン信号補正部２１に出力することで、自局パケット判定信号をパターン信号補正部２１に知らせる。
【００３７】
ステップＳ２０４で、自局宛のパケットであることが自局パケットの判定により確認できた場合に（ステップＳ２０４-YES）、パターン信号補正部２１は、ＭＡＣ１６からの自局パケット判定信号を受けて、所定時間をセットしたタイマ２１８をスタートさせ、時間計測を開始する（ステップＳ２０５）。
次いで、ステップＳ２０３で確定した現行の受信パケットから求めた伝播特性を、周波数領域での補正処理部２１１でトレーニング用パターン信号の補正に用いる伝播特性として選択する（ステップＳ２０７）。
他方、ステップＳ２０４で、自局宛のパケットであることが自局パケット判定信号により確認できなければ（ステップＳ２０４-NO）、先にステップＳ２０５でスタートさせたタイマ２１８にセットされた所定時間、即ち、補正したトレーニング用パターン信号の有効期限として予め定められた時間の経過を確認する（ステップＳ２０６）。
【００３８】
ステップＳ２０６で所定時間が経過していない場合には（ステップＳ２０６-NO）、トレーニング用パターン信号の有効期限内であるから、次のパケットを受信するために待機するステップＳ２０１に戻る。なお、この場合、パターン信号補正部２１は、何も処理を行わない。
また、ステップＳ２０６で所定時間が経過している場合には（ステップＳ２０６-YES）、トレーニング用パターン信号の有効期限を過ぎているから、パターン信号補正部２１は、初期化伝播特性であるディラック（Δ）関数（周波数領域でフラットな特性を持つ伝播特性を定義する関数）による伝播特性信号２１６をトレーニング用パターン信号の補正に用いる伝播特性信号として選択する（ステップＳ２０８）。
【００３９】
なお、上記の伝播特性信号の選択動作は、この実施形態では、ＭＡＣ１６が出力する自局パケット判定信号を受けて計時を開始するタイマ２１８にセットされた時間の経過時に出力されるタイマ信号を制御信号として動作するセレクタ２１３が、プリアンブルの受信信号から推定される周波数領域の伝播特性信号又はディラック（Δ）関数による伝播特性信号２１６を選択する。
次いで、ステップＳ２０７又はステップＳ２０８で選択された伝播特性信号は、補正用の周波数領域でのトレーニング用パターン信号として補正処理部２１１に出力し（ステップＳ２０９）、このパケットに対する処理フローを終え、次のパケットを受信するために待機するステップＳ２０１に戻る。
【００４０】
上記の処理を行うことによって、パターン信号補正部２１では、自局宛の場合のみプリアンブルの受信信号から推定される周波数領域の伝播特性信号を用いてパターン信号を補正し、さらに、補正したトレーニング用パターン信号の有効期限として予め定められた時間の経過を確認し、有効期限内ではプリアンブルの受信信号から推定される周波数領域の伝播特性信号を適用し、また、有効期限を超えて伝播特性信号の変化が想定される場合には、ディラック（Δ）関数による伝播特性信号を適用することで、経時的な伝播特性の変動に対するパケット検出率の悪化も回避することができる。
【００４１】
［平均化処理の付加］
上記で図２〜９を参照して説明した受信処理部は、伝播路に生じる伝播特性の変動を考慮して、パケットの受信処理で求められた伝播特性をトレーニング用パターン信号の補正に用いる際の有効期限の管理を行った。ただ、補正に用いる伝播特性は、直前の自局宛のパケットの受信時で求められた伝播特性であり、例えばその受信の際に伝播路で偶発的に生じた異常の影響を受けた場合、現行のパケットの受信で伝播路が正常に戻っていれば、現行の受信信号に対して、異常が生じたときの伝播特性による補正を掛けることは適当ではない。
そこで、この実施形態では、以前に補正に用いた伝播特性を保存しておき、直前の自局宛のパケットの受信時に求めた伝播特性をトレーニング用パターン信号の補正に用いる際に、今回求めた伝播特性そのままを用いずに、保存された以前に求めた伝播特性との平均化処理を行い、得られる伝播特性を補正に用いることで、偶発的に生じた異常の影響を軽減する。
【００４２】
この実施形態では、上記で図５〜９を参照して説明した無線ＬＡＮのインフラストラクチャモードに対応し、経時変動によって生じ得る不都合を回避する動作を行う受信処理部を例に、さらに、偶発的に生じた異常の影響を軽減するための平均化処理手段を有する実施形態を説明する。
具体的には、上記で図８，９を参照して説明したタイマ２１８とともに、ＭＡＣ１６から入力される自局パケット判定信号によって起動する平均化処理部２１９を備える。平均化処理部２１９は、等化器１４で用いるプリアンブルの受信信号から推定される周波数領域の伝播特性信号の入力を受け、自局パケット判定信号によるタイマ２１８の計時スタート時のタイミングで今回と以前に求めた伝播特性信号とをもとに平均化処理を行う。
【００４３】
図１０は、この実施形態に係る受信処理部のパターン信号補正部２１の内部構成を示す図である。なお、この実施形態に係る無線通信装置の受信処理部全体の構成は、先に示した図５と変わらないので、上記の説明を参照し、ここでは記載を省略する。
図１０に示すように、パターン信号補正部２１は、トレーニング用に予め定められた周波数領域でのパターン信号２１５が用意され、このパターン信号をプリアンブルの受信信号から推定される周波数領域の伝播特性信号又はディラック（Δ）関数による伝播特性信号２１６によって補正する周波数領域での補正処理部２１１と、補正処理部２１１で補正された周波数領域でのトレーニング用パターン信号を時間領域でのトレーニング用パターン信号に変換する変換部２１２を備える。また、補正処理部２１１が補正処理に用いるプリアンブルの受信信号から推定される周波数領域の伝播特性信号又はディラック（Δ）関数による伝播特性信号２１６のどちらを用いるかは、ＭＡＣ１６からの自局パケット判定信号により選択するので、自局パケット判定信号を制御信号とし、これらの伝播特性信号の一方を選択して出力するセレクタ２１３を設ける。
【００４４】
また、補正したパターン信号の有効期限を管理するためのタイマ２１８を備え、ＭＡＣ１６からの自局パケット判定信号をタイマ２１８の起動信号として入力し、タイマ２１８にセットされる所定時間の経過を計測し、出力されるタイマ信号を制御信号としてセレクタ２１３に入力する。
パターン信号補正部２１が上記の構成要素を有する点では、先に示した図８に示したパターン信号補正部２１と変わらない。ただ、この実施形態では、等化器１４で用いるプリアンブルの受信信号から推定される周波数領域の伝播特性信号を直接セレクタ２１３に入力しないで、平均化処理部２１９を通して、平均化処理を行った後の伝播特性信号をセレクタ２１３により選択される信号として入力する。
【００４５】
また、この実施形態での平均化処理部２１９は、タイマ２１８の計測スタート時のタイミングで等化器１４から入力される伝播特性信号を今回求めた伝播特性信号とするので、タイマ２１８からそのタイミング信号を得る。なお、平均化処理をするためには、以前求めた伝播特性信号を必要とするので、平均化処理部２１９には、これを保存する記憶手段（不図示）を備える。
また、平均化処理は、直前から数パケット分さかのぼって平均化する方法を採用することが望ましく、例えば、移動平均処理によって実施することができる。こうした平均化処理によれば、経時変動の影響を抑えることにより、精度の低下を避けることができる。
さらに、直前から数パケット分さかのぼって平均化する上記の方法を採用する場合にも、平均処理に用いる以前に求めた伝播特性信号についても、経時変動を考慮して、所定時間以前に得られた伝播路推定結果を除外して平均化を行う方法をとることによって、より高精度を維持することが可能になる。このためには、平均化処理に用いるために記憶手段に保存する伝播特性信号に対して時間をスタンプする等の方法で、その保存時間を管理する必要がある。例えば、保存された伝播特性信号のうち、保存時間が予め定めた時間を超える伝播特性信号を削除する管理方法によって実施することができる。
【００４６】
〈伝播特性信号の選択処理のフロー（３）〉
図１０のパターン信号補正部２１の周波数領域での補正処理部２１１でトレーニング用パターン信号の補正に用いる伝播特性信号として、プリアンブルの受信信号から推定される周波数領域の伝播特性信号又はディラック（Δ）関数による伝播特性信号２１６のいずれかを選択して出力する処理の手順について、図１１の処理フローにもとづいて説明する。
図１１に示す処理フローは、受信処理部とともに起動し、パケットごとに処理を実行する。
この処理フローが、受信処理部とともに起動されると、先ず、パケットを受信するために待機し（ステップＳ３０１）パケットが受信されると、上記で図１を参照して説明したように、ショートプリアンブルの信号をもとにＡＧＣ及び同期処理を行う。さらに、ロングプリアンブルの信号をもとに伝播特性を推定する処理を行い、得られる等化条件の下に等化処理を行い、等化処理後の信号に対する復調処理を行うことで、受信データを復元する（ステップＳ３０２）。
【００４７】
また、この受信データの復調処理の前段における等化処理に用いた伝播特性、即ちロングプリアンブルの受信信号から推定された周波数領域の伝播特性を現行の受信パケットの伝播路の伝播特性として確定する（ステップＳ３０３）。
次いで、復調された受信データを受け取るＭＡＣ１６は、現行の受信データから自局宛のパケットであるか否かを、ＭＡＣ１６内に有する自局宛パケット判定部１６１で判定し、判定結果により処理を分岐する（ステップＳ３０４）。このとき、ＭＡＣ１６内のモード設定部１６３は、自局宛のパケットであれば、自局受信フラグ信号を生成し、これをパターン信号補正部２１に出力することで、自局パケット判定信号をパターン信号補正部２１に知らせる。
【００４８】
ステップＳ３０４で、自局宛のパケットであることが自局パケットの判定により確認できた場合に（ステップＳ３０４-YES）、パターン信号補正部２１は、ＭＡＣ１６からの自局パケット判定信号を受けて、所定時間をセットしたタイマ２１８をスタートさせ、時間計測を開始する（ステップＳ３０５）。
また、タイマ２１８が計測を開始するタイミングで、タイマ２１８からそのスタートタイミング信号を平均化処理部２１９に送ることにより、該処理部を起動し、トレーニング用パターン信号の補正に用いる伝播特性の平均化処理を行う（ステップＳ３０６）。ここでは、例えば、平均化処理の都度、求めた伝播特性を保存しておき、現行パケットの伝播特性と所定数のパケット分さかのぼって保存された伝播特性とを移動平均し、今回の伝播特性を求めることにより平均化処理を行う。
【００４９】
次いで、ステップＳ３０６で平均化処理を行うことにより求めた伝播特性を、周波数領域での補正処理部２１１でトレーニング用パターン信号の補正に用いる伝播特性として選択する（ステップＳ３０８）。
他方、ステップＳ３０４で、自局宛のパケットであることが自局パケット判定信号により確認できなければ（ステップＳ３０４-NO）、先にステップＳ３０５でスタートさせたタイマ２１８にセットされた所定時間、即ち、補正したトレーニング用パターン信号の有効期限として予め定められた時間の経過を確認する（ステップＳ３０７）。
【００５０】
ステップＳ３０７で所定時間が経過していない場合には（ステップＳ３０７-NO）、トレーニング用パターン信号の有効期限内であるから、次のパケットを受信するために待機するステップＳ３０１に戻る。なお、この場合、パターン信号補正部２１は、何も処理を行わない。
また、ステップＳ３０７で所定時間が経過している場合には（ステップＳ３０７-YES）、トレーニング用パターン信号の有効期限を過ぎているから、パターン信号補正部２１は、初期化伝播特性であるディラック（Δ）関数（周波数領域でフラットな特性を持つ伝播特性を定義する関数）による伝播特性信号２１６をトレーニング用パターン信号の補正に用いる伝播特性信号として選択する（ステップＳ３０９）。
【００５１】
なお、上記の伝播特性信号の選択動作は、この実施形態では、ＭＡＣ１６が出力する自局パケット判定信号を受けて計時を開始するタイマ２１８にセットされた時間の経過時に出力されるタイマ信号を制御信号として動作するセレクタ２１３が、プリアンブルの受信信号から推定される周波数領域の伝播特性信号（ここでは平均化処理部２１９によって処理された伝播特性信号）又はディラック（Δ）関数による伝播特性信号２１６を選択する。つまり、自局パケット判定信号が無く、且つ平均化処理により求めた、補正に用いるプリアンブルの受信信号から推定される伝播特性信号の有効期限を過ぎている場合に、ディラック（Δ）関数による伝播特性信号２１６が選択される。
次いで、ステップＳ３０８又はステップＳ３０９で選択された伝播特性信号は、補正用の周波数領域でのトレーニング用パターン信号として補正処理部２１１に出力し（ステップＳ３１０）、このパケットに対する処理フローを終え、次のパケットを受信するために待機するステップＳ３０１に戻る。
【００５２】
上記のように、所定数のパケット分さかのぼって保存された伝播特性と現行の伝播特性との平均化処理を行い、得られる伝播特性を補正に用いることで、偶発的に生じた伝播路の異常の影響を軽減することができる。
また、平均化処理の対象となる伝播特性の一部が、所定の有効期限を経過した時点で求めた伝播特性である場合、それを平均化処理から除外することができるため、より高精度を維持することができる。
【符号の説明】
【００５３】
１１・・ＡＤＣ、１２・・ＡＧＣ部、１３・・ＦＦＴ部、１４・・等化器、１５・・後段復調器、１６・・ＭＡＣ、１６１・・自局宛パケット判定部、１６３・・モード設定部、１７・・同期処理部、１８・・伝播特性推定部、２０，２１・・パターン信号補正部、１９，２０５，２１５・・周波数領域での初期設定トレーニング用パターン信号、２０１，２１１・・周波数領域での補正処理部、２０２，２１２・・時間領域への変換部、２１６・・ディラック（Δ）関数による伝播特性信号、２１３・・セレクタ、２１８・・タイマ、２１９・・平均化処理部。
【先行技術文献】
【特許文献】
【００５４】
【特許文献１】特開２００４−３２０１４３号公報
【図１】
0005516003.tif 000002
【図２】
0005516003.tif 000003
【図３】
0005516003.tif 000004
【図４】
0005516003.tif 000005
【図５】
0005516003.tif 000006
【図６】
0005516003.tif 000007
【図７】
0005516003.tif 000008
【図８】
0005516003.tif 000009
【図９】
0005516003.tif 000010
【図１０】
0005516003.tif 000011
【図１１】
0005516003.tif 000012